(57)【特許請求の範囲】
【請求項１】
略四角形箱体の前面にアウトレット端子用接栓を突設すると共に、前記箱体の平坦な下面に少なくとも１つの接栓を突接し、スイッチボックスやアウトレットボックスに収容可能な直列ユニット用ハウジングであって、
前記アウトレット端子用接栓を、その形成面の中心から下面の方へ偏心した位置に形成すると共に、前記箱体下面に形成した接栓の突出長を、前記アウトレット端子用接栓の突出長より短くし、
更に箱体内の底面に、下面に設けた前記接栓に連続した円筒状突起を形成し、前記接栓の内部長を、前記アウトレット端子用接栓の内部長と同一としたことを特徴とする直列ユニット用ハウジング。
【請求項２】
箱体は、その前面を覆うように装着されるユニットカバーの上面位置より上方に突出しない請求項１記載の直列ユニット用ハウジング。
【発明の詳細な説明】
【０００１】
【発明の属する技術分野】
本発明は、壁面等に設けられたアウトレット端子からテレビ信号等を同軸ケーブルにより引き出す技術に属し、詳しくはそのアウトレット端子が形成された直列ユニット用ハウジングに関する。
【０００２】
【従来の技術】
壁面等に設けられたケーブル接続端子、いわゆるアウトレット端子はスイッチボックスやアウトレットボックスを壁面に埋め込み、その中にアウトレット端子を形成した直列ユニットを設け、そのボックス内で直列ユニットに信号ケーブルを接続してアウトレット端子から信号を出力するように形成されている。この直列ユニット用ハウジングは、例えば図４に示すようなものがある。図４において２０はアウトレット端子用接栓であり、２１はボックス内接続端子用接栓であり、他のユニット等から配線されたケーブルが接続される入力端子用接栓２１ａと他のユニットへ信号を出力す出力端子用接栓２１ｂとから構成されている。
【０００３】
アウトレット端子用接栓２０は、ハウジング２２前面のほぼ中央に形成され、入力端子用接栓２１ａ及び出力接続端子用接栓２１ｂは、ハウジング２２の下面２２ａを階段状に形成して１段上げた段部２３を設け、その段部２３上に形成している。そして、何れの接栓も、ケーブル端部に設けたＦ型コネクタ等のコネクタを締着する為のねじ溝を周囲に有し、その突出長は同一寸法となっていた。
尚、図４において、ボックス内接続端子用接栓２１の突出長Ｌ３及びアウトレット端子用接線２０の突出長Ｌ４は９．５ｍｍ、ハウジングの奥行きＥ２＝２４ｍｍ、高さＨ２＝１９ｍｍ、接栓部高さＨ３＝１５ｍｍである。
【０００４】
アウトレットボックスやスイッチボックスは元々同軸ケーブルを取り回す為に設計されたものではないため、同軸ケーブルと直列ユニットとを接続して配線するのが難しく技術を要するもので、図示するように直列ユニットのアウトレットボックス内での接続部となる入力端子２１ａ或いは出力端子２１ｂを１段上げて形成することで、接続部下方の空間を広げてケーブルの接続や取り回しが少しでも容易になるよう工夫されていた。
【０００５】
【発明が解決しようとする課題】
しかし、上記の如くハウジング底面に段部を形成して接続端子用接栓２１を１段上げることで、ケーブルの接続或いは取り回しを比較的容易に行うことが可能となるが、段部を形成することで、直列ユニットのハウジング２２内のスペースが狭くなってしまい、分岐回路等を内部に組み込む際、素子の配置が難しくなったり、ハウジング内での各接続端子と回路との接続操作がし辛く、組立作業をスムーズに行うことができなかった。
【０００６】
そこで本発明は、上記問題点に鑑み、ケーブルと直列ユニットとの接続及びケーブルの取り回しを容易にすると共に、直列ユニット内の素子配置スペースも確保する直列ユニット用ハウジングを提供することを課題とする。
【０００７】
【課題を解決するための手段】
上記課題を解決するため、請求項１の発明は、略四角形箱体の前面にアウトレット端子用接栓を突設すると共に、前記箱体の平坦な下面に少なくとも１つの接栓を突接し、スイッチボックスやアウトレットボックスに収容可能な直列ユニット用ハウジングであって、
前記アウトレット端子用接栓を、その形成面の中心から下面の方へ偏心した位置に形成すると共に、前記箱体下面に形成した接栓の突出長を、前記アウトレット端子用接栓の突出長より短くし、
更に箱体内の底面に、下面に設けた前記接栓に連続した円筒状突起を形成し、前記接栓の内部長を、前記アウトレット端子用接栓の内部長と同一としたことを特徴とする。
【０００８】
請求項２の発明は、請求項１の発明において、箱体は、その前面を覆うように装着されるユニットカバーの上面位置より上方に突出しないよう構成される。
尚、ユニットカバーとは、直列ユニットを取付枠等の固定部材に連結するための部材であると共に、化粧板の窓に嵌合して埃の進入防止や美観の向上を図る部材である。
【００１１】
【発明の実施の形態】
以下、本発明を具体化した実施の形態の１例を図面を基に詳細に説明する。図１は本発明に係る直列ユニット用ハウジングを示し、（ａ）は平面図、（ｂ）はＡ−Ａ矢視断面図であり、直列ユニット用ハウジング１は略四角形の箱体１ａとその前面１ｂに形成された１個の接栓２と、下面１ｃに形成された２個の接栓３とから構成されている。
【００１２】
直列ユニット用ハウジング１は亜鉛ダイカストにより形成され、箱体１ａ上面は開口され、その開口部を覆い内部を密閉する蓋体４を有している。尚、図１（ａ）は蓋体を略してある。また、ハウジングはアルミダイカスト製でも良いが、接栓部の強度の点から亜鉛ダイカストの方が優れているし、蓋体はアルミ製が良く、特にＯ材と称されている純アルミ材が、箱体開口部に圧入した際、接合に際してねばりが有り、シールド効果が優れたものとなる。
前面に形成された接栓２は、壁等に露出されて同軸ケーブルを接続して、テレビや受信機等の機器へ信号を送出するためのアウトレット端子を形成するためのものであり、箱体１ａの前面中心位置Ｍより下方、即ち下面１ｃ寄りに偏心して形成されている。
【００１３】
接栓３はアウトレットボックス等のボックス内接続用接栓で、平らな下面１ｃの左右対称位置に設けられ、一方がアウトレット端子へ信号を送る入力端子を形成する為の入力端子用接栓３ａであり、他方は別の直列ユニットへ信号を送出するための出力端子を形成する出力端子用接栓３ｂである。何れも同軸ケーブルを接続する接栓として形成されている。
【００１４】
そして、そのボックス内接続用接栓３ａ，３ｂの突出長Ｌ１は、アウトレット端子用接栓の突出長Ｌ２に比べて短く形成され、ボックス内接続用接栓３ａ，３ｂに連続したハウジング内の底面１ｄには筒状の突出部５が形成され、あたかも、ボックス内接続用接栓３ａ，３ｂが箱体１ａ内に埋没したように形成されている。また、ボックス内接続用接栓３ａ，３ｂの内部長Ｄ１はアウトレット端子用接栓２の内部長Ｄ２と同一になるよう形成されている。ちなみに、Ｌ１＝７．５ｍｍ、Ｌ２＝１０ｍｍ、Ｄ１＝Ｄ２＝１１．９ｍｍであり、中心位置Ｍからの偏心量ｊ＝１．５ｍｍである。
【００１５】
このように、ボックス内接続用接栓３ａ，３ｂ、即ち接栓３の突出長Ｌ１をアウトレット端子用接栓２より短くすることで、接栓３下方のケーブルとの接続及びケーブルの取り回し空間を広くできる。尚、埋没量即ち突出部５の高さｈは、大きい方が効果的であるが、内部に装着する素子の大きさや回路基板位置を考慮すると２〜４ｍｍとすると都合がよい。
また、アウトレット端子用接栓２を偏心させることで更にケーブル接続位置を後退させることとなり、接栓３下方の空間を広げることができる。また、接栓２，３の内部長を同一に形成することで、接続端子を形成する際に内部に装着するコンタクト金具６やスペーサ７（図２示）を同一のものを使用可能としている。
【００１６】
そして、ハウジング内底面１ｄには入力端子或いは出力端子用接栓３に連続した円形突出部５が形成されるだけで、他の底面１ｄは平坦のままであるから、分岐回路等の回路を形成した基板を図２に示すように容易に組み付けることができる。尚、図２は正面視断面説明図であり、９は基板、１０は組み付けた素子を示している。
【００１７】
図３（ａ）は上記直列ユニット用ハウジング１により形成した直列ユニット１３をアウトレットボックス１１内に装着する様子を示し、（ｂ）は直列ユニット１３の拡大図を示している。ユニットカバー１２を前面に装着した直列ユニット１３は、取付枠１４に連結された後、入力ケーブル１５ａ及び出力ケーブル１５ｂが接続され、アウトレットボックス１１内に装着される。そして、化粧盤１６によりアウトレット端子１７を含むユニットカバー１２を露出し、他の部分は目隠しされる。
【００１８】
直列ユニット１３はこのように装着され、そのハウジング１のアウトレット端子用接栓２が箱体中央から下方に偏心した位置に形成されているので、ハウジング１のボックス内取付位置が上方に移動して、結果として入力端子或いは出力端子用接栓３が後退した状態となるため、ケーブルの接続或いは取り回し空間を大きく取ることができる。
【００１９】
尚、アウトレット端子を下方に偏心させても、ユニットカバー１２装着時、その上面位置より箱体１ａが上方に突出することがないように、箱体１ａの高さをユニットカバー１２の高さより低く形成してあり、施工時に不都合が生じるようなことがない。この実施の形態では、この高さの差Ｈ４（図３（ｂ）示）を２ｍｍとしている。
【００２０】
また、アウトレット端子用接栓２の偏心量も、ボックス内接続用接栓３の埋没量と同様に大きい方が効果的であるが、アウトレット端子のコンタクト金具と内部回路基板等との接続の容易性を考慮すると１．５ｍｍ〜２ｍｍとすると都合がよい。また、出力端子用接栓は設けず、ユニット下面には入力端子の１個だけ設けても良いし、本ユニットをアウトレットボックス内等に装着する際、ケーブルの取り回しや、内部空間の状況に応じて上下を反転して入力端子や出力端子を上向きとしても良い。
【００２１】
【発明の効果】
以上詳述したように、請求項１の発明によれば、箱体正面のアウトレット端子用接栓を下面側に偏心して設けたので、アウトレットボックス内等に設置した際にハウジング全体が上方に移動するし、箱体下面に形成した接栓の先端を後退させたので、接栓の下方の空間を広くすることができる。そのため、ケーブルの接続及び取り回しを容易に行うことができるし、底面は平坦のままであるので、ハウジング内空間が狭くなるようなことがなく、必要な素子を容易にハウジング内に組み込むことができる。
また、アウトレット端子用接栓と下面側接栓との内部長が同一であるので、接続端子を構成するためのコンタクト金具や絶縁体等を同一のものを使用することができる。
【００２２】
請求項２の発明によれば、請求項１の発明に加えて、アウトレット端子を下方に偏心して形成しても、アウトレットボックス等に組み込む施工時に不都合が生じるようなことがない。
【図面の簡単な説明】
【図１】本発明の実施の形態の１例を示し、（ａ）は平面図、（ｂ）はＡ−Ａ矢示断面図である。
【図２】図１の直列ユニット用ハウジングに回路基板を装着した様子を示す正面視断面説明図である。
【図３】図１の直列ユニット用ハウジングの使用状況を示し、（ａ）はアウトレットボックスへの装着の様子を示す図で、（ｂ）は直列ユニット部の拡大図である。
【図４】従来の直列ユニット用ハウジングを示し、（ａ）は側面図、（ｂ）は正面図である。
【符号の説明】
１・・直列ユニット用ハウジング、１ａ・・箱体、１ｂ・・前面、１ｃ・・下面、１ｄ・・底面、２・・アウトレット端子用接栓、３・・接栓、３ａ・・入力端子用接栓、３ｂ・・出力端子用接栓、５・・突出部、１１・・アウトレットボックス、１３・・直列ユニット、Ｍ・・箱体中心位置、ｊ・・偏心量。
【図１】
0004191296.tif 000002
【図２】
0004191296.tif 000003
【図３】
0004191296.tif 000004
【図４】
0004191296.tif 000005